(57)【要約】【課題】本発明の課題は、機器の貸し出しと返却を確実に管理するシステムを提供することである。【解決手段】媒体ＩＤ情報とロッカーの利用状況情報を有する情報記憶媒体と、ロッカーを撮影する電子カメラと、媒体ＩＤ情報を認証してロッカーの扉を解錠させ、情報記憶媒体に借入情報を書き込む貸出時処理プログラムと、扉を解錠させ、情報記憶媒体に返却情報を書き込む返却時処理プログラムと、扉が解錠されたら電子カメラに撮影させて、扉が施錠されたら電子カメラの撮影を停止させるカメラ制御プログラムとを有する収納設備と、情報記憶媒体の媒体ＩＤ情報を認証して、借入情報の機器ＩＤ情報を認証して、該機器の使用を可能な状態に制御させる認証処理プログラムと、該機器の使用を終了したら、情報記憶媒体に利用終了情報を書き込む利用終了時処理プログラムとを有する機器と、からなる収納機器の貸出管理システムである。【選択図】図１
2009037275.tif 000002
【特許請求の範囲】
【請求項１】
機器の貸し出しと返却を管理するシステムであって、
前記システムは、
固有の媒体ＩＤ情報が記憶されているＩＤ情報記憶エリアと、
機器の貸出や返却の状態を示すロッカーの利用状況情報が書換え可能に記憶される書換記憶エリアと
を有する情報記憶媒体と、
前記情報記憶媒体に対する情報の読み取り及び書き込みを行う読取書込手段と、
備えられた扉の施解錠状態を制御する施解錠手段と、
電子カメラに撮影開始指示、あるいは、撮影停止指示をする電子カメラ接続手段と、
貸出時処理プログラム及び返却時処理プログラムとカメラ制御プログラムとが記憶されている記憶エリアと、
登録者情報を記憶する登録者記憶エリアと
が設けられた記憶手段と
を有する収納設備と、
撮影データを記録する記憶手段を有する電子カメラと、
前記情報記憶媒体に対する情報の読み取り及び書き込みを行う読取書込手段と、
認証処理プログラム及び利用終了時処理プログラムと
機器ＩＤ情報を含む認証情報を記憶する認証情報記憶エリアと
が記憶された記憶手段と
を有する機器と、
からなる収納機器の貸出管理システムであって、
前記収納設備は、
前記貸出時処理プログラムが、
前記情報記憶媒体のＩＤ情報記憶エリアに記憶されている媒体ＩＤ情報と、前記書換記憶エリア内のロッカーの利用状況情報とを読み取った際に、前記媒体ＩＤ情報を登録者情報と照合して認証処理を行い、認証が受けられた場合にロッカーの扉の施錠を解錠させ、更に、前記情報記憶媒体の書換記憶エリアに貸し出した機器のＩＤ情報を含む借入情報の書込処理を行わせ、
前記返却処理プログラムが、
前記情報記憶媒体から書換記憶エリア内のロッカーの利用状況情報を読み取った際に、利用終了情報が書き込まれている場合に、前記扉の施錠を解錠させ、更に、前記情報記憶媒体の書換記憶エリアに記憶されているロッカーの利用状況情報に返却情報の書込処理を行わせ、
カメラ制御プログラムが、
扉が解錠されたら撮影指示をカメラ接続手段に発行して電子カメラに撮影させて、扉が施錠されたら撮影停止をカメラ接続手段に発行して電子カメラの撮影を停止させるカメラ制御プログラムと、
ことを特徴とする設備であって、
前記機器は、
前記認証処理プログラムが、
前記情報記憶媒体から媒体ＩＤ情報と、前記書換記憶エリア内のロッカーの利用状況情報とを読み取った際に、読み取った媒体ＩＤ情報と認証情報記憶エリア媒体の認証情報とを照合して認証処理を行い、認証された場合に、更に、読み取った借入情報の貸し出した機器のＩＤ情報と認証情報記憶エリアに記憶する機器ＩＤ情報が一致すれば、該機器の使用を可能な状態に制御させ、
前記返却時処理プログラムが、
該機器の使用が終了された際に、前記情報記憶媒体の書換記憶エリアに該機器の使用が終了したことを示す利用終了情報を有するロッカーの利用状況に更新する
ことを特徴とする機器である、
ことを特徴とする収納機器の貸出管理システム。
【請求項２】
前記収納機器は、
収納された機器が貸出可であるか貸出中であるかを示す貸出状況情報を記憶する貸出状況情報記憶エリアを有し、
前記情報記憶媒体のＩＤ情報記憶エリアに記憶されている媒体ＩＤ情報と、前記書換記憶エリア内のロッカーの利用状況情報とを読み取った際に、
前記貸出時処理プログラムは、
前記媒体ＩＤ情報を登録者情報と照合して認証処理を行い、認証が受けられた場合にロッカーの扉の施錠を解錠させ、前記情報記憶媒体の書換記憶エリアに貸し出した機器のＩＤ情報を含む借入情報の書込処理を行わせたときに、該収納設備の前記貸出状況情報記憶エリアを媒体ＩＤ情報と貸出中情報を有する貸出状況情報に更新する貸出更新処理を行わせ、
前記返却処理プログラムが、
前記情報記憶媒体から書換記憶エリア内のロッカーの利用状況情報を読み取った際に、利用終了情報が書き込まれている場合に、情報記憶媒体の媒体ＩＤ情報と貸出中情報の媒体ＩＤ情報が一致すれば、前記扉の施錠を解錠させ、収納設備の前記貸出状況情報記憶エリアに記憶されている貸出状況情報を、貸出可を有する貸出状況情報に更新する返却更新処理を行わせる
ことを特徴とする請求項１記載の収納機器の管理システム。
【請求項３】
前記収納設備の記憶手段の貸出状況情報記憶エリアに書き込まれる貸出情報が、個人を特定可能なＩＤ情報を含む情報であることを特徴とする請求項１記載の収納機器の貸出管理システム。
【請求項４】
前記収納設備が、電子施錠装置を備えた電子ロッカーであることを特徴とする請求項１記載の収納機器の貸出管理システム。
【請求項５】
前記収納設備には、前記機器が貸し出されている場合に、貸し出されていることを示す情報を表示する手段が備えられていることを特徴とする請求項１記載の収納機器の貸出管理システム。
【発明の詳細な説明】
【技術分野】
【０００１】
本発明は、電子施錠により開閉扉の施解錠が管理されている電子ロッカーなどの収納設備において、そこに収納保管されている機器の貸出返却管理を確実に行うための収納機器の貸出管理システムに関する。
【背景技術】
【０００２】
例えば、会社などで社員に対して、共用のノートパソコンの機器を必要に応じてその都度貸し出すことが行われる場合がある。
これらの資産管理の対象となる機器は、固定資産としての管理が必要であることから、貸出した場合には確実に返却されるように貸出管理を行い、紛失などの事故が生じないようにする必要がある。
従来、このようなことからも、資産管理の対象となる各種ＯＡ機器などのオフィス機器には予め無線タグを貼り付けておき、無線タグ検出装置を備えたゲートをＯＡ機器が通過することで、機器の場所を把握することが出来るように構成された資産管理システムが知られている。（例えば、特許文献１参照）
【０００３】
【特許文献１】特開２００４−２９５４０６号公報（段落−段落、図）
【０００４】
しかしながら、上記従来の資産管理システムでは、貸し出された機器を誰が借りているのかが調べられないために、種々の都合で、貸し出された機器を戻してほしい場合でも簡単に探し出せないという問題がある。
つまり、固定資産の管理を行う場合には、固定資産として登録されている全ての機器の現物が実際にあるか確認する必要があるが、ロッカーなどの収納設備から貸し出された機器を誰が借りているのかわからないために確認作業に支障が生じるという問題がある。
また、貸し出された機器が紛失した場合に、返却されてから紛失したか、あるいは、返却されていないのかを判定することができないという問題がある。
【発明の開示】
【発明が解決しようとする課題】
【０００５】
そこで、本発明は、機器の貸し出しと返却を確実に管理するシステムを提供する。
【課題を解決するための手段】
【０００６】
本発明は、以下の各態様に記載の手段により、前記課題を解決する。
すなわち、本願発明の第１の態様は、機器の貸し出しと返却を管理するシステムであって、前記システムは、固有の媒体ＩＤ情報（３２）が記憶されているＩＤ情報記憶エリア（６ｂ）と、機器の貸出や返却の状態を示すロッカーの利用状況情報（３１）が書換え可能に記憶される書換記憶エリア（６ａ）とを有する情報記憶媒体（３）と、前記情報記憶媒体に対する情報の読み取り及び書き込みを行う読取書込手段（４）と、備えられた扉の施解錠状態を制御する施解錠手段（７）と、電子カメラに撮影開始指示、あるいは、撮影停止指示をする電子カメラ接続手段（２１）と、貸出時処理プログラム（８）及び返却時処理プログラム（９）と、カメラ制御プログラム（２３）とが記憶されている記憶エリアと、登録者情報（２５）を記憶する登録者記憶エリア（１０ｂ）と、が設けられた記憶手段とを有する収納設備（２）と、撮影データを記録する記憶手段を有する電子カメラ（２０）と、前記情報記憶媒体に対する情報の読み取り及び書き込みを行う読取書込手段（１１）と、認証処理プログラム（１３）及び利用終了時処理プログラム（１４）と、機器ＩＤ情報を含む認証情報を記憶する認証情報記憶エリア（１２ｂ）と、が記憶された記憶手段（１２）とを有する機器（５）と、からなる収納機器の貸出管理システムであって、前記収納設備は、前記貸出時処理プログラム（８）が、前記情報記憶媒体のＩＤ情報記憶エリア（６ｂ）に記憶されている媒体ＩＤ情報と、前記書換記憶エリア（６ａ）内のロッカーの利用状況情報とを読み取った際に、前記媒体ＩＤ情報を登録者情報（２５）と照合して認証処理を行い、認証が受けられた場合にロッカーの扉の施錠を解錠させ、更に、前記情報記憶媒体の書換記憶エリア（６ａ）に貸し出した機器のＩＤ情報を含む借入情報の書込処理を行わせ、前記返却時処理プログラム（９）が、前記情報記憶媒体から書換記憶エリア内のロッカーの利用状況情報を読み取った際に、利用終了情報が書き込まれている場合に、情報記憶媒体の媒体ＩＤ情報（３２）と貸出情報の媒体ＩＤ情報が一致すれば、前記扉の施錠を解錠させ、更に、前記情報記憶媒体の書換記憶エリアに記憶されているロッカーの利用状況情報に返却情報の書込処理を行わせ、前記カメラ制御プログラム（２３）が、
扉が解錠されたら撮影指示をカメラ接続手段（２１）に発行して電子カメラに撮影させて、扉が施錠されたら撮影停止をカメラ接続手段（２１）に発行して電子カメラの撮影を停止させることを特徴とする設備であって、前記機器は、前記認証処理プログラムが、
前記情報記憶媒体から媒体ＩＤ情報と、前記書換記憶エリア内のロッカーの利用状況情報とを読み取った際に、読み取った媒体ＩＤ情報と認証情報記憶エリア媒体の認証情報とを照合して認証処理を行い、認証された場合に、更に、読み取った借入情報の貸し出した機器のＩＤ情報と認証情報記憶エリア（１２ｂ）に記憶する機器ＩＤ情報が一致すれば、該機器の使用を可能な状態に制御させ、前記返却時処理プログラムが、該機器の使用が終了された際に、前記情報記憶媒体の書換記憶エリアに、該機器の使用が終了したことを示す利用終了情報を有するロッカーの利用状況に更新することを特徴とする機器であることを特徴とする収納機器の貸出管理システムである。
【０００７】
収納設備の記憶手段の貸出状況情報記憶エリアに書き込まれる貸出情報が、個人を特定可能なＩＤ情報を含む情報であるので、ＩＤ情報から機器を持ち出した人物を特定できる。
【０００８】
本願発明の第２の態様は、前記収納機器は、収納された機器（５）が貸出可であるか貸出中であるかを示す貸出状況情報（２４）を記憶する貸出状況情報記憶エリア（１０ａ）を有し、前記情報記憶媒体のＩＤ情報記憶エリアに記憶されている媒体ＩＤ情報と、前記書換記憶エリア内のロッカーの利用状況情報とを読み取った際に、前記貸出時処理プログラムは、前記媒体ＩＤ情報を登録者情報と照合して認証処理を行い、認証が受けられた場合にロッカーの扉の施錠を解錠させ、前記情報記憶媒体の書換記憶エリアに貸し出した機器のＩＤ情報を含む借入情報の書込処理を行わせたときに、該収納設備の前記貸出状況情報記憶エリアを媒体ＩＤ情報と貸出中情報を有する貸出状況情報に更新する貸出更新処理を行わせ、前記返却処理プログラムが、前記情報記憶媒体から書換記憶エリア内のロッカーの利用状況情報を読み取った際に、利用終了情報が書き込まれている場合に、情報記憶媒体の媒体ＩＤ情報と貸出中情報の媒体ＩＤ情報が一致すれば、前記扉の施錠を解錠させ、収納設備の前記貸出状況情報記憶エリアに記憶されている貸出状況情報を、貸出可を有する貸出状況情報に更新する返却更新処理
を行わせることを特徴とする請求項１記載の収納機器の管理システムである。
【０００９】
本願発明の第３の態様は、  前記収納設備の記憶手段の貸出状況情報記憶エリアに書き込まれる貸出情報が、個人を特定可能なＩＤ情報を含む情報であることを特徴とする請求項１記載の収納機器の貸出管理システムである。
【００１０】
本願発明の第４の態様は、前記収納設備が、電子施錠装置を備えた電子ロッカーであることを特徴とする請求項１記載の収納機器の貸出管理システムである。
【００１１】
本願発明の第５の態様は、  前記収納設備には、前記機器が貸し出されている場合に、貸し出されていることを示す情報を表示する手段が備えられていることを特徴とする請求項１記載の収納機器の貸出管理システムである。
【００１２】
貸し出し状況を示す情報を表示する手段が備えられているので、機器が貸し出されている場合に、機器の貸出状況が直ぐにわかるという効果がある。
【発明の効果】
【００１３】
本願発明によれば、
（１）機器を持ち出した人物を特定することが可能である。
本発明の収納機器の貸出管理システムは、ロッカーなどの収納設備に保管された機器が貸し出された場合に、収納設備の記憶手段に機器の貸出情報に借用者が記憶されているので、問い合わせることができる。
（２）正しく返却されたのか否かを判定することが出来る。
という効果がある。
【発明を実施するための最良の形態】
【００１４】
以下、本発明の実施形態に係る収納機器の貸出管理システムを、図面に基づいて詳細に説明する。
実施形態に係る収納機器の貸出管理システムの説明では、収納設備としては、電子施錠装置を備えた電子ロッカーを例にし、また、情報記憶媒体としては、非接触方式のＩＣカードを例にし、更に、電子ロッカー内に貸出用として保管されている機器としては、パソコンを例にしている。
図１から図４までを用いて、電子ロッカーによるパソコンの貸出管理の概要を説明する。
なお、本発明は、これらに限定されるものではなく、電子ロッカーに限らず種々の収納設備に適応され、非接触方式のＩＣカードに限らず種々の公知の情報記憶媒体に適応され、パソコンに限らず種々の機器に適応されるものである。
【００１５】
図１には、利用者である社員１が、電子ロッカー２内に保管されているパソコンを借りにきて、電子ロッカー２に近づいた様子が示されている。
社員１には、予め発行された社員証用のＩＣカード３を所持しており、このＩＣカード３に記憶されているＩＤ情報を読み取らせて認証処理を行い、認証が受けられた場合に、電子ロッカー２に備えられている扉２ａの施解錠装置を解錠できるようにしてある。
また、扉２ａの施解錠装置が解錠された場合には、ＩＣカード３に借入情報が書き込まれ記憶される。
社員１が所持するＩＣカード３は、電子ロッカー２内からパソコンを借りる場合と、借りたパソコンを電子ロッカー２内に返却した場合とに使用される。
また、ＩＣカード３に情報の書き込みを行う機能を有するリーダライタなどの読取書込手段４が備えられている。
【００１６】
図２には、利用者である社員１が、電子ロッカー２の扉２ａを開けた様子が示されている。
電子ロッカー２内には、固定資産であるパソコン５が保管されており、社員１が認証を受けて、電子ロッカー２に備えられている扉２ａの施解錠装置が解錠されたことで、扉２ａを開いて共通使用するために設けられたパソコン５を持ち出せるようになる。
また、電子ロッカー２の扉２ａを閉めることで、施解錠装置が自動的に施錠されように構成されている。
【００１７】
図３には、社員１が、電子ロッカー２にパソコン５を返却しようとしている様子が示されている。電子ロッカー２は、固定資産であるパソコン５が保管されており、社員１が認証を受け、電子ロッカーの扉２ａが解錠されると、電子カメラ２０は、撮影を開始する。電子カメラ２０は、社員１が電子ロッカーの扉２ａを開いてパソコン５を電子ロッカー２に収納して返却する様子を撮影して、撮影データを記録する。電子カメラ２０は、社員１が電子ロッカーの扉２ａを閉めて、扉が施錠されると、撮影を停止する。
【００１８】
図４には、電子ロッカー２内に備えられているパソコン５が使用される場合の様子が示されている。
パソコン５には、ＩＣカード３に情報の書き込みを行う機能を有するリーダライタなどの読取書込手段５ａが備えられている。
読取書込手段５ａは、パソコン５に内蔵された構成でもよいが、図３に示す場合には、リーダライタがコードで接続されている場合が示されている。
社員１は、パソコン５を使用する際に、ＩＣカード３に記憶されている情報を読取書込手段５ａで読み取らせ、更に、パソコン５の使用が終了した際に、読取書込手段５ａでＩＣカード３に利用終了情報の書き込みを行う必要がある。
【００１９】
次に、図５に基づいて、ＩＣカード３と電子ロッカー２との構成を説明する。
ＩＣカード３は、機器の貸出や返却の状態を示すロッカーの利用状況情報３１が書換え可能に記憶される書換記憶エリア６ａと固有の媒体ＩＤ情報３２が記憶されているＩＤ情報記憶エリア６ｂとを有する記憶手段６を備えている。
【００２０】
ＩＤ情報記憶エリア６ｂには、社員番号などの固有の媒体ＩＤ情報３２が予め記憶されており、この媒体ＩＤ情報３２は書換えできない状態として、読取専用に記憶されている。
【００２１】
電子ロッカー２からパソコン５が貸し出される際に、電子ロッカー２の読取書込手段４により、書換記憶エリア６ａには、借入情報を有するロッカーの利用状況情報３１が書き込まれる。
また、パソコン５の使用が終了された際に、パソコン５の読取書込手段５ａにより、利用終了情報を有するロッカーの利用状況情報３１が借入情報を有するロッカーの利用状況情報３１を上書きして記憶される。
そして、パソコン５を電子ロッカー２に返却した際に、電子ロッカー２の読取書込手段４により、返却情報を有するロッカーの利用状況情報３１が利用終了情報を有するロッカーの利用状況情報３１に上書きされて記憶される。
【００２２】
電子ロッカー２は、読取書込手段４、施解錠装置からなる施解錠手段７、電子カメラに撮影の開始や終了の指示を送信する電子カメラ接続手段２１、貸出時処理プログラム８及び返却時処理プログラム９とが記憶されていると共に、収納された機器の貸出状況情報を記憶する貸出状況情報記憶エリア１０ａとカメラ制御プログラム２３と貸出が許可されている社員の登録者情報を記憶する登録者記憶エリア１０ｂを有する記憶手段１０と、記憶手段１０の貸出状況情報記憶エリア１０ａに記憶されている貸出状況情報２４を確認する際に使用するための表示手段１５を備えている。
【００２３】
貸出時処理プログラム８は、読取書込手段４によりＩＣカード３に記憶されている媒体ＩＤ情報３２と、ＩＣカード３の書換記憶エリア６ａ内のロッカーの利用状況情報３１とを読み取り、貸出が許可されている社員の登録者情報２５とを照合して、読み取った媒体ＩＤ情報３２と一致する社員番号が存在すれば認証する認証処理を行う。
また、貸出時処理プログラム８は、認証が受けられた場合には、施解錠手段７により扉２ａの施錠を解錠させ、更に、ＩＣカード３の書換記憶エリア６ａのロッカーの利用状況情報３１に借入情報を書き込む書込処理を行わせると共に、電子ロッカー２の記憶手段１０の貸出状況情報記憶エリア１０ａの貸出状況情報２４の貸出可の情報に貸出中情報が上書きされる。
【００２４】
カメラ制御プログラム２３は、施解錠手段７により扉２が解錠されたら電子カメラ接続手段２１に撮影指示を発行して電子カメラ２０に撮影させて、施解錠手段７により扉２が施錠されたら電子カメラ接続手段２１に撮影停止を発行して電子カメラ２０の撮影を停止させる。
【００２５】
返却時処理プログラム９は、読取書込手段４によりＩＣカード３に記憶されているＩＤ情報３２と、ＩＣカード３の書換記憶エリア６ａ内のロッカーの利用状況情報３１とを読み取った際に、書換記憶エリア６ａ内に利用終了情報が書き込まれている場合に、情報記憶媒体の媒体ＩＤ情報３２と貸出中情報の媒体ＩＤ情報が一致すれば、施解錠手段７により扉２ａの施錠を解錠させる。
更に、返却時処理プログラム９は、書換記憶エリア６ａ内のロッカーの利用状況情報３１に利用終了情報が書き込まれている場合に、情報記憶媒体の媒体ＩＤ情報と貸出情報の媒体ＩＤ情報が一致すれば、ＩＣカード３の書換記憶エリア６ａに記憶されているロッカーの利用状況情報に返却情報の書込処理を行わせると共に、電子ロッカー２の貸出状況情報記憶エリア１０ａに記憶されている収納された機器の貸出状況情報３１の貸出中情報に、貸出可の情報が上書きされる。
つまり、パソコンの返却時にＩＣカード３の書換記憶エリア６ａ内のロッカーの利用状況情報３１を用いることで、電子ロッカー２からパソコン５を借りた者であることが認定できるため、扉２ａを解錠するように制御される。
【００２６】
表示手段１５は、記憶手段１０の貸出状況情報記憶エリア１０ａに記憶されている貸出状況情報２４を用いて、たとえば、電子ロッカー内に機器が備えられていて貸し出し可能状態であることを示す情報（＝貸出可）か、あるいは、機器が貸し出されていることを示す情報（＝貸し出し中）を表示してもよい。
また、貸出状況情報記憶エリア１０ａに記憶されている貸出状況情報２４は、リーダライタで読取可能に記憶させておくことで、リーダライタで読み取った貸出状況情報２４をパソコンなどの装置の表示手段に表示できるようにしておいてもよい。
いずれにしても、貸出状況情報記憶エリア１０ａに記憶されている貸出状況情報２４は、種々の方法で表示させて確認可能に記憶される。
【００２７】
図６は、ロッカーの利用状況情報の説明図である。
図６の（ａ）には、借入情報を有するロッカーの利用状況情報３１が例示されている。
パソコン５の機器のＩＤ情報として「note2」、電子ロッカー２を特定することができる固有情報として「R1」、利用状態として「借入」が示されている。
また、図６の（ｂ）には、返却情報を有するロッカーの利用状況情報３１が例示されている。パソコン５の機器のＩＤ情報として「note2」、電子ロッカー２を特定することができる固有情報として「R1」、利用状態として「返却」が示されている。
【００２８】
図７は、貸出状況情報２４の説明図である。
電子ロッカー２の記憶手段１０の貸出状況情報記憶エリア１０ａに書き込まれる貸出状況情報２４には、少なくとも、貸出可であるかまたは貸出中であることを示す利用状態情報が含まれる。
利用状態が「貸出可」とは、電子ロッカー２貸出すことが可能なパソコン５が存在することを示す情報である。
利用状態が「貸出中」とは、電子ロッカー２からパソコン５が貸し出されていることを示す情報である。
貸出状況情報記憶エリア１０ａにＩＤ情報を書き込み記憶させておくことで、電子ロッカー２からパソコン５が貸し出されている場合でも、そのＩＤ情報を読み取ることで、誰にパソコン５が貸し出されているのかを調べることができるようになっている。
【００２９】
図７には、貸出状況情報２４が例示されている。
パソコン５の機器のＩＤ情報としてＰＣ名「note1」、電子ロッカー２を特定することができる固有情報としてロッカー番号「R1」、利用状態として「貸出中（社員番号0000902）」の例が示されている。
また、パソコン５の機器のＩＤ情報としてＰＣ名「note2」、電子ロッカー２を特定することができる固有情報としてロッカー番号「R1」、利用状態として「貸出可」が示されている。
【００３０】
図８は、登録者情報２５の説明図である。
登録者情報２５は、社員番号、社員名、所属部署、役職などから構成されている。
社員番号は、ＩＤ情報である。
【００３１】
次に、図９に基づいて、ＩＣカード３とパソコン５との構成を説明する。
パソコン５には、読取書込み手段１１と、認証処理プログラム１３と利用終了時処理プログラム１４が記憶された記憶手段１２が備えられている。
認証処理プログラム１３は、ＩＣカード３から媒体ＩＤ情報３２（＝社員番号）と、ＩＣカード３の記憶手段６の認証情報記憶エリア１２ａ内に記憶されている認証情報とを読み取った際に、書換記憶エリア６ａから借入情報を有するロッカーの利用状況情報２４が読み取れた場合に、媒体ＩＤ情報の認証処理を行い、媒体ＩＤ情報が認証された場合に、パソコン５の使用を可能な状態に制御させる処理を行わせる。
【００３２】
返却時処理プログラム１４は、パソコン５の使用が終了された際に、ＩＣカード３の記憶手段６の書換記憶エリア６ａに、パソコン５の使用が終了したことを示す利用終了情報を有するロッカーの利用状況情報２４に更新する。
返却時処理プログラム１４が書換記憶エリア６ａのロッカーの利用状況情報２４に利用終了情報を書き込んでいるので、パソコン５が電子ロッカー２に返却される際に、電子ロッカー２側がロッカーの利用状況情報２４の利用終了情報を読み取ることで、電子ロッカー２は返却時処理プログラム９に基づく処理を行うことができる。
【００３３】
次に、図１０から図１５までを用いて、実施形態に係る収納機器の貸出管理システムの処理手順を具体的に説明する。
【００３４】
まず、図１０と図１３に基づいて、電子ロッカー２からパソコン５が貸し出される際の処理手順について説明する。
【００３５】
図１０は、電子ロッカー２からパソコン５を貸し出すときの貸出状況情報記憶エリア１０ａの貸出状況情報と書換記憶エリア６ａのロッカーの利用状況情報３１を説明する図である。
図１０の（ａ）は、電子ロッカー２にパソコン５が保管されているときの貸出状況情報２４の説明図である。
図１０（ａ）には、電子ロッカー２にパソコン５が保管されている場合には、電子ロッカー２の記憶手段１０の貸出状況情報記憶エリア１０ａには、「貸出可」の貸出状況情報２４が記憶されていることが示されている。
【００３６】
図１０の（ｂ）は、電子ロッカー２からパソコン５を貸し出したときの貸出状況情報とロッカーの利用状況情報３１を説明する図である。
図１０（ｂ）には、電子ロッカー２からパソコン５が貸し出されると、貸出時処理プログラム８が、ＩＣカード３の社員番号３２「0000902」を読み取り、登録者情報２５とを照合して、登録者情報２５に「0000902」が存在すれば認証を行い、ＩＣカード３の書換記憶エリア６ａのロッカーの利用状況情報３１に「note2,R1, 借入」を書き込み、電子ロッカー２の貸出状況情報記憶エリア１０ａの貸出状況情報２４に「貸出中（0000902）」を書き込み更新することが示されている。
【００３７】
図１３は、電子ロッカー２からパソコン５を借りる際の処理を示すフロー図である。
（１）社員１が電子ロッカー２からパソコン５を借りる場合には、図１０（ｂ）に示すように、電子ロッカー２の読取書込手段４は、ＩＣカード３に記憶されている媒体ＩＤ情報３２と、書換記憶エリア６ａ内のロッカーの利用状況情報３１を読み取らせる。（ステップＳ１）
【００３８】
（２）貸出時処理プログラム８は、読み取った媒体ＩＤ情報３２に対する認証処理を行う。（ステップＳ３）
（３）認証処理で認証が受けられた場合には、施解錠手段７は、扉２ａの施錠を解錠させる。（ステップＳ４）
これにより、社員１は、パソコン５を取り出すことができる。
（４）電子ロッカー２の読取書込手段４は、ＩＣカード３に対して、パソコン５を借りたことを示す借入情報を書込む。（ステップＳ５）
（５）ＩＣカード３は記憶手段６の書換記憶エリア６ａに借入情報３１を記憶させる。（ステップＳ６）
ここで、図１０（ｂ）を参照すると、ＩＣカード３の記憶手段６の書換記憶エリア６ａの借入情報３１には、電子ロッカーを特定することができる情報として「Ｒ１」が記憶され、更に借入したことを示す情報として「借入」とが記憶された状態が示されていることがわかる。
【００３９】
（６）貸出時処理プログラム８は、電子ロッカー２の記憶手段１０の貸出状況情報記憶エリア１０ａの貸出状況情報２４に貸出情報を書き込み記憶させる。（ステップＳ７）
図７（ｂ）では、電子ロッカー２の記憶手段１０の貸出状況情報記憶エリア１０ａの貸出状況情報に貸出情報として、「貸出中、00000902」の情報が記憶されている。
この「00000902」は、ＩＣカード３から読み取られた社員番号などの媒体ＩＤ情報であり、パソコン５が返却されるまでは記憶されており、パソコン５を誰が借りているのかを調べたい場合には、貸出状況情報記憶エリア１０ａの貸出状況情報に記憶されている社員番号（＝媒体ＩＤ情報）を読み取ることで借入者を特定可能になっている。
【００４０】
（７）電子ロッカー２の表示手段１５は、「貸出中」を表示する。（ステップＳ８）
【００４１】
図１１は、パソコン５を使用するときのロッカーの利用状況情報３１を説明する図である。
図１１の（ａ）は、パソコン５を使用開始するときのロッカーの利用状況情報３１を説明する図である。
図１１（ａ）には、認証処理プログラム１３が、ＩＣカード３の書換記憶エリア６ａのロッカーの利用状況情報３１のパソコン名（＝機器ＩＤ）「note2」を読み取り、認証情報１２ａ「note2」とを照合して、両者が一致すれば認証することが示されている。
図１１の（ｂ）は、パソコン５の使用を終了するときのロッカーの利用状況情報３１を説明する図である。
図１１（ｂ）には、利用終了時処理プログラム１４が、ＩＣカード３の書換記憶エリア６ａのロッカーの利用状況情報３１に「note2、R1、利用終了」を書き込むことが示されている。
【００４２】
図１４は、電子ロッカー２から貸し出されたパソコン５が使用される際の処理を示すフロー図である。
（１）社員１がパソコン５使用する場合には、図１１（ａ）に示すように、パソコン５の読取書込手段１１は、ＩＣカード３に記憶されている媒体ＩＤ情報３２と、書換記憶エリア６ａ内のロッカーの利用状況情報３１を読み取る。（ステップＳ１１）
（２）パソコン５は、書換記憶エリア６ａ内のロッカーの利用状況情報３１から借入情報が読み取られたか否かの判定を行う。（ステップＳ１２）
【００４３】
（３）書換記憶エリア６ａから借入情報が読み取れた場合には、認証処理プログラム１３は、読み取った機器ＩＤ情報に対する認証処理を行う。（ステップＳ１３）
（４）認証処理で認証が受けられた場合には、パソコン５は、使用可能な状態に制御する。（ステップＳ１４）
【００４４】
（５）そして、パソコン５の電源が切られ、その使用が終了される際に（ステップＳ１５）、図１１の(ｂ)に示すように、利用終了時処理プログラム１４は、パソコン５からＩＣカード３に対して、利用終了情報が書き込まれる。（ステップＳ１６）
（６）ＩＣカード３は、パソコン５から受信した利用終了情報を有するロッカーの利用状況情報３１を書換記憶エリア６ａ内に上書きして記憶させる。（ステップＳ１７）
図１１（ｂ）には、「Ｒ１，利用終了」の情報が、電子ロッカー２からパソコン５を借りた際に記憶された「Ｒ１，解錠」の情報に上書きされた状態が示されている。
【００４５】
最後に、図１２と図１５に基づいて、電子ロッカー２にパソコン５を返却する際の処理手順について説明する。
【００４６】
図１２は、パソコン５を電子ロッカー２に返却するときの貸出状況情報２４とロッカーの利用状況情報３１の説明図である。
図１２には、パソコン５を電子ロッカー２に返却するときに、返却処理プログラム９が、ＩＣカード３の書換記憶エリア６ａのロッカーの利用状況情報３１に「note2,R1, 返却」を書き込み、電子ロッカー２の貸出状況情報記憶エリア１０ａの貸出状況情報２４に「貸出可」を書き込み更新することが示されている。
【００４７】
図１５は、電子ロッカー２にパソコン５を返却する際の処理を示すフロー図である。
（１）社員１が電子ロッカー２にパソコン５を返却する場合には、電子ロッカー２の読取書込手段４は、ＩＣカード３に記憶されているＩＤ情報３２と、書換記憶エリア６ａ内のロッカーの利用状況情報３１を読み取る。（ステップＳ２１）
（２）電子ロッカー２は、書換記憶エリア６ａ内から利用終了情報が読み取られたか否かの判定を行う。（ステップＳ２２）
（３）そして、書換記憶エリア６ａから利用終了情報が読み取れた場合には、返却時処理プログラム９は、読み取ったＩＤ情報に対する認証処理を行う。（ステップＳ２３）
【００４８】
（４）次に、認証処理で認証が受けられた場合には、施解錠手段７は、扉２ａの施錠を解錠させて、返却時処理プログラム９は、電子カメラ接続手段２１に撮影開始を指示して、電子カメラ２０に撮影を開始させる。（ステップＳ２４）
これにより、社員１は、パソコン５を電子ロッカー２内に返却する様子を撮影することができる。
【００４９】
（５）図１２に示すように、返却時処理プログラム９は、電子ロッカー２からＩＣカード３に対して、パソコン５を返却したことを示す返却情報を送信する。（ステップＳ２５）
（６）図１２に示すように、ＩＣカード３の記憶手段６の書換記憶エリア６ａのロッカーの利用状況情報３１に「返却」を書き込む。（ステップＳ２６）
（７）更に、図１２に示すように、電子ロッカー２の記憶手段１０の貸出状況情報記憶エリア１０ａの貸出状況情報２４に「利用可」を書き込む。（ステップＳ２７）
（８）電子ロッカー２の表示手段１５は、「利用可」を表示する。（ステップＳ２８）
（９）返却時処理プログラム９は、電子カメラ接続手段２１に撮影停止を指示して、電子カメラ２０に撮影を停止させる。（ステップＳ２９）
【００５０】
上記の処理により、ＩＣカード３の記憶手段６の書換記憶エリア６ａは、パソコン５を返却した状態となる。
また、電子ロッカー２の記憶手段１０の貸出状況情報記憶エリア１０ａも、パソコン５を貸し出し可能状態となる。これにより、新たに他の社員が電子ロッカー２からパソコン５を借りる場合には、上記と同様の処理を行うことで、パソコン５の貸出返却の管理を行えるように構成されている。
【００５１】
また、上記実施形態では、電子施錠装置を備えた電子ロッカーにパソコンを貸出可能に保管された場合について説明したが、本発明はこれに限定されるものではなく、種々の機器を収納する設備と、保管される種々の機器に適応できるシステムである。
また、情報記憶媒体も上記実施形態に示したＩＣカードに限定されるものではなく、同様の機能を有する情報記憶媒体を用いることができるものである。
【図面の簡単な説明】
【００５２】
【図１】利用者である社員１が、電子ロッカー２内に保管されているパソコンを借りきて、電子ロッカー２に近づいた様子
【図２】利用者である社員１が、電子ロッカー２の扉２ａを開けた様子
【図３】社員１が、電子ロッカー２にパソコン５を返却しようとしている様子
【図４】電子ロッカー２内に備えられているパソコン５が使用される場合の様子
【図５】ＩＣカード３と電子ロッカー２との構成を説明する図
【図６】ロッカーの利用状況情報の説明図
【図７】貸出状況情報の説明図
【図８】登録者情報２５の説明図
【図９】ＩＣカード３とパソコン５との構成を説明
【図１０】電子ロッカー２からパソコン５を貸し出すときの貸出状況情報と利用状況情報を説明する図
【図１１】パソコン５を使用するときのロッカーの利用状況情報を説明する図
【図１２】パソコン５を電子ロッカー２に返却するときの貸出状況情報とロッカーの利用状況情報の説明図
【図１３】電子ロッカー２からパソコン５を借りる際の処理を示すフロー図
【図１４】電子ロッカー２から貸し出されたパソコン５が使用される際の処理を示すフロー図
【図１５】電子ロッカー２にパソコン５を返却する際の処理を示すフロー図
【符号の説明】
【００５３】
１  社員
２  電子ロッカー
２ａ  扉
３  ＩＣカード
４，１１，５ａ  読取書込手段
５  パソコン
６，１０，１２  記憶手段
６ａ  書換記憶エリア
６ｂ  ＩＤ情報記憶エリア
７  施解錠手段
８  貸出時処理プログラム
９  返却時処理プログラム
１０ａ  貸出状況情報記憶エリア
１３  認証処理プログラム
１４  利用終了時処理プログラム
１５  表示手段
２０  電子カメラ
２１  カメラ接続手段
２３  カメラ制御プログラム
２４  貸出状況情報
２５  登録者情報
３１  ロッカーの利用状況情報
３２  媒体ＩＤ情報、社員番号
【図１】
2009037275.tif 000003
【図２】
2009037275.tif 000004
【図３】
2009037275.tif 000005
【図４】
2009037275.tif 000006
【図５】
2009037275.tif 000007
【図６】
2009037275.tif 000008
【図７】
2009037275.tif 000009
【図８】
2009037275.tif 000010
【図９】
2009037275.tif 000011
【図１０】
2009037275.tif 000012
【図１１】
2009037275.tif 000013
【図１２】
2009037275.tif 000014
【図１３】
2009037275.tif 000015
【図１４】
2009037275.tif 000016
【図１５】
2009037275.tif 000017